(57)【要約】【課題】放射性溶液を封入した放射性溶液注射筒において、再使用のために分解を容易にする。【解決手段】放射性溶液シリンジ集成体（４）が、放射性溶液を保持したシリンジ（５）と、シリンジ（５）を収容した放射線シールド筒（６）と、シールド筒（６）の基端に取付けられ注射時の指掛り片（７１）を具えた指掛り筒（７）とを具備する。指掛り筒（７）は、その基端に内向きフランジ（７３）を具え、該内向きフランジ（７３）とシールド筒（６）の基端とによってシリンジ（５）のフランジ（５２）が挟持される。熱収縮フィルムチューブ（８）が、シールド筒（６）と指掛り筒（７）に跨って収縮状態で緊密に被さっている。【選択図】図１
2008134268.tif 000002
【特許請求の範囲】
【請求項１】
放射性溶液を保持したシリンジ（５）を、放射線シールド筒（６）に収容し、注射時の指掛り片（７１）を具えた指掛り筒（７）をシールド筒（６）の基端に装着した放射性溶液シリンジ集成体（４）において、指掛り筒（７）は基端に内向きフランジ（７３）を具え、該内向きフランジ（７３）とシールド筒（６）の基端との間に、シリンジ（５）の基端に具えたフランジ（５２）を挟持し、シールド筒（６）と指掛り筒（７）に跨って熱収縮フィルムチューブ（８）が収縮状態で緊密に被さっていることを特徴とした放射性溶液シリンジ集成体。
【発明の詳細な説明】
【技術分野】
【０００１】
本発明は、放射性物質を収容する包装保護ケース及び該ケースに収容される放射性溶液シリンジ集成体に関するものである。
【背景技術】
【０００２】
例えば心臓疾患の診断のために塩化タリウム注射液等の放射性溶液を用いることが周知となっている。こうした放射性溶液を安全確実な輸送に用いるために、図５に示す放射性溶液シリンジ集成体４及び該シリンジ集成体を収容する包装保護ケース１が公知となり既に提案されている（特許第２６２３３１３号公報参照）。
【０００３】
放射性溶液シリンジ集成体４は、放射性溶液を封入したシリンジ５と、シリンジ５を収納した放射線シールド筒６と、注射時の指掛り片７１を有しシールド筒６の基端に取付けられた具えた指掛り筒７とを具備している。指掛り筒７は指に係合可能なスリーブを意味している。
【０００４】
包装保護ケース１は、夫々鉛を主体とするケース本体２および蓋体３を具備している。ケース本体２には発泡樹脂製緩衝材２８が嵌め込まれて、該発泡樹脂製緩衝材２８に放射線溶液シリンジ集成体４の形状に対応する凹部２９が形成されている。
上記包装保護ケース１は、発泡樹脂製緩衝材２８の凹部２９に放射性溶液シリンジ集成体４を収容して、外部への放射線の漏れを可及的に防止する。
【０００５】
シールド筒６は、指掛り筒７に嵌合する基端を有し、かつ、これをシリンジ５に嵌めて放射性溶液シリンジ集成体４が準備される。包装保護ケース１の蓋体３内面にはフランジキャップ９が設けられている。フランジキャップ９は、シールド筒６の基端側から指掛り筒７に被せられ、該フランジキャップ９の脚爪９１を指掛り筒７の段部７５に係合させて指掛り筒７を保持している。
【０００６】
放射性溶液シリンジ集成体４は、シリンジ５をシールド筒６に嵌合した状態のままで包装保護ケース１から取り出すことができ、その状態のまま被験者に放射性溶液を注射できる。これにより、投与者（医者等）への放射線被曝を防止できる。
【０００７】
【特許文献１】特許第２６２３３１３号公報
【発明の開示】
【発明が解決しようとする課題】
【０００８】
然しながら、この提案された手段には以下の問題がある。放射線の防護材料として鉛が使用されることが多いが、鉛は中毒または汚染の問題がある。上記従来の包装保護ケースは、ケース本体２の上部内面には発泡樹脂製緩衝材２８が被さっておらず、ケース本体２の内層２６を形成する鉛及び蓋体３の内面の鉛板３６が露出しているため、中毒または汚染の問題を残したままであった。
シールド筒６は高価であるために再使用され、シリンジ５とシールド筒６との間には、２つの要素を容易に分離できるようにクリアランスが設けられている。
【０００９】
シールド筒６は、基端部が指掛り筒７に嵌合しているだけである。従って、放射性溶液シリンジ集成体４を包装保護ケース１から取り出す際に、シールド筒６と緩衝材２８との摩擦抵抗が、指掛り筒７とシールド筒６の嵌合力より大きいときは、シールド筒６が包装保護ケース１内に残ってしまう虞れがある。
シリンジ５がシールド筒６から抜け出ると、シールド筒６の放射線防護の役割は失われてしまう。
【００１０】
放射性溶液を被験者に注射した使用後のシールド筒６を再使用するために、シリンジ５をシールド筒６から抜き外すには、フランジキャップ９を外さねばならない。フランジキャップ９は複数の脚爪９１が、指掛り筒７の段部７５に係合しているため、この係合を同時に解除して、フランジキャップ９を指掛り筒７から外さねばならない。この作業は手間が掛かる。
【００１１】
上記シールド筒６は、再使用に耐えるように、表面に銀メッキや防錆処理等の防錆処理の必要があるので、コスト高を招来する。
包装保護ケース１で、外層２７は樹脂であるから強度が小さく、輸送中に破損する虞れがある。
【００１２】
本発明の目的は、上記問題を解決できる放射性溶液シリンジ集成体を提供することである。
【課題を解決するための手段】
【００１３】
本発明によれば、放射性溶液を封入したシリンジ５を、放射線シールド筒６に収容し、注射時の指掛り片７１を具えた指掛り筒７をシールド筒６の基端に装着した放射性溶液シリンジ集成体４が提供される。指掛り筒７は基端に内向きフランジ７３を具え、該内向きフランジ７３とシールド筒６の基端とによって、シリンジ５の基端から突出しているフランジ５２が挟持される。シールド筒６と指掛り筒７に跨って熱収縮フィルムチューブ８が収縮状態で緊密に被さっている。
【発明を実施するための最良の形態】
【００１４】
図１は、放射性溶液シリンジ集成体４を包装保護ケース１に収容した状態を示している。放射性溶液シリンジ集成体４は、塩化タリウム注射液、クエン酸ガリウム注射液等の放射性溶液を充填したシリンジ５と、該シリンジ５の外側に嵌合し放射線を防護するためのシールド筒６と、注射時の指掛り片７１を具えシールド筒６の基端に嵌合した指掛り筒７と、指掛り筒７とシールド筒６とに跨って装着された熱収縮フィルムチューブ８とによって構成される。
【００１５】
シリンジ５は、ガラスまたは合成樹脂にて形成された透明筒体であり、先端突出した細口の注出口５１を有している。注出口５１はプラスチックチップ５５に装着され、該プラスチックチップ５５にゴムキャップ５６が装着されている。
【００１６】
シリンジ５の基端には外向きに短く突出したフランジ５２を有している。シリンジ５に充填した放射性溶液は、シリンジ５の注出口５１を塞ぐパッキン５４とシリンジ５の基端側に嵌合したピストン５３によって封入されている。ピストン５３には、プランジャ５８取付け用のネジ穴５３ａが開設されている。
【００１７】
シールド筒６は、タングステンまたはタングステン合金等の密度の大きい金属にて前記シリンジ５を抵抗なく嵌合可能な筒体に形成され、先端にはシリンジ５の注出口５１に向けて円錐状に屈曲した内向き片６２を有している。
【００１８】
シールド筒６には、先端側の肩部５７から後端側に長孔状の窓部６３が開設され、該窓部６３に鉛ガラス６４が嵌合されている。
鉛ガラス６４の厚みはシールド筒６の厚みよりも大きく、鉛ガラス６４はシールド筒６の外表面から外側に突出している。
【００１９】
図１を参照すると、シールド筒６の内向き片６２は、シールド筒６の基端がシリンジ５のフランジ５２の下面に当たった状態のとき、シリンジ５の先端側肩部５７に対して少し余裕が出来る位置に形成されている。
【００２０】
指掛り筒７は、ポリプロピレン、ポリエチレン、ＡＢＳ樹脂等の合成樹脂にて形成され、シールド筒６の基端にガタつきのないように着脱可能に嵌合させることができる。指掛り筒７は内向きフランジ７３を有しており、該フランジは、筒部の基端からシリンジ５基端内径に略等しい長さまで延びてシリンジ５のフランジ５２に被さる。指掛り筒７は更に、先端外周に全周に亘って形成された突条７２を有している。指掛り筒７から鍔状に突出する指掛り片７１が、内向きフランジ７３と突条７２との間に配置されており、シリンジ５内の放射性溶液を注射する際の指掛りとなる。
【００２１】
指掛り筒７は、シールド筒６の基端に嵌合し、内向きフランジ７３がシリンジ５のフランジ５２に被さっている。より詳細には、シールド筒６の基端と指掛り筒７の内向きフランジ７３とによってシールド筒６に対するシリンジ５の軸方向の動きを拘束している。
【００２２】
熱収縮性フィルムチューブ８は、塩化ビニル、ポリプロピレン、ポリエチレンテレフタレート等にて形成された透明または一部か概ね全体を着色したチューブである。収縮前の熱収縮性フィルムチューブ８の直径は、シールド筒６、該シールド筒６に嵌合した鉛ガラス６４の突出部及び指掛り筒７の突条７２に余裕のある状態に嵌合する大きさとなっている。収縮すると、熱収縮性フィルムチューブ８は、シールド筒６の先端内向き片６２から指掛り筒７の指掛り片７１下端に触れるまでの長さが被さる長さとなる。
【００２３】
図３に示すように、熱収縮性フィルムチューブ８には、軸方向の全長に亘って接近して平行に延びる２本の断続的な切込み８１、８１が設けられている。
【００２４】
熱収縮性フィルムチューブ８を指掛り筒７とシールド筒６に跨って嵌合させ、加熱して熱収縮性フィルムチューブ８を主に周方向に収縮させて、指掛り筒７とシールド筒６に密着させる。これによって、シリンジ５上でシールド筒６と指掛り筒７は一体的に保持される。
【００２５】
包装保護ケース１は、深底の上面開口のケース本体２と、該開口に被さる蓋体３とを具備している。包装保護ケース１は、放射性溶液シリンジ集成体４を収容できる空間１１を有している。
【００２６】
ケース本体２及び蓋体３は、何れも放射線シールド層２２、３２を金属製の外殻２１、３１で包んで形成されており、一旦使用した後でも使い棄てではなく、再使用される。
【００２７】
ケース本体２の外殻２１は有底筒体に形成される。ケース本体２の放射線シールド層２２は、外殻２１と同じく有底筒体に形成され、外殻２１の内面に密着させて嵌合可能となっている。放射線シールド層２２は、外殻２１の上端から少し突出した上端を有している。ケース本体２の外面には、放射性溶液シリンジ集成体４の放射性溶液の情報を印刷したラベル（図示せず）が貼付される。
【００２８】
蓋体３の外殻３１は、円板状の被せ板３１ａと、被せ板３１ａの外周から下向きに延びる周壁３１ｂと、周壁３１ｂの下部に一体に形成され前記ケース本体２の外殻２１の上端部外周に嵌合するように直径を拡大した嵌込み短筒部３１ｃとを具備している。
【００２９】
蓋体３の放射線シールド層３２は、外殻３１の被せ板３１ａ及び周壁３１ｂの夫々内面に密着して嵌合する厚板状に形成されている。
ケース本体２及び蓋体３の外殻２１、３１は、鉄、ステンレス鋼、真鍮等の銅合金、タングステンまたはタングステン合金等の金属から形成され、その種類は限定されない。
【００３０】
但し、本発明の外殻２１、３１それ自体によっても放射線防護の効果を得ることができるものであり、放射線防護の効果は、外殻２１、３１に用いる物質の密度に関係する。従って、他の金属よりも密度の大きいタングステンやタングステン合金で外殻２１、３１を形成すれば、同じ放射線防護効果を得る場合、外殻２１、３１の厚みを薄くできる。
放射線防護の必要性の低いものについては外殻の厚みは０．５ｍｍ以下にすることも可能である。
【００３１】
ケース本体２と蓋体３の放射線シールド層２２、３２は、溶融樹脂に金属粉末または金属小粒を混練し、外殻２１、３１に嵌合可能で、且つ、前記放射性溶液シリンジ集成体４を収容可能な空間１１を画成する形状に成形される。
【００３２】
放射線シールド層２２、３２に用いられる金属粉末または金属小粒の材質は、前述の如く、放射線防護の効果からは、タングステン、タングステン合金、鉛等の密度の大きい金属が望ましい。更に、金属粉末または金属小粒は放射線シールド層２２、３２の表面に露出することを防止するために球状に近い形状が望ましい。更に、金属粉末または金属小粒は少なくとも一種類とすべきである。
【００３３】
本発明によれば、金属粉末は粒子の寸法が１ｍｍより小さい粉末を意味し、金属小粒とは粒子の寸法つまり粒径が少なくとも１ｍｍから５ｍｍまでの粒子またはペレットを意味する。金属粉末でも、樹脂との混練作業前の金属粉末の飛散防止を考慮すれば、粒径は少なくとも０．５ｍｍとすることが望ましい。
【００３４】
放射線シールド層２２、３２が高い放射線防護効果を得るには、金属粉末や金属小粒を大量に混入することが必要となる。樹脂に混入される金属粉末や金属小粒の量は容積比率で５０〜８０％範囲としてもよい。
【００３５】
放射線シールド層２２、３２の均質化のためには、射出成形の際に、溶融樹脂に密度の大きい金属粉末、金属小粒を該層に均一に分散させなければならない。このためには、ポリアミド、ＡＢＳ樹脂等の粘性の高い樹脂を用いるか、ポリエチレン、ポリプロピレン等の粘度の高い条件下で成形可能な樹脂を用いれば可い。
【００３６】
金属粉末または金属小粒を溶融樹脂と混練して成形した場合、成形品の表面に金属粉末、金属小粒が直接に露出することはない。従って、放射線シールド層２２、３２に鉛の小粒を充填しても、ケース１の取扱者が鉛と接触することがないため、鉛中毒の問題は生じない。
【００３７】
上記ケース本体２の放射線シールド層２２は、一体成形できることは言うまでもない。放射性溶液シリンジ集成体４の鉛ガラス６４部分の放射線防護力が弱い場合は、然しながら、放射線シールド層２２の鉛ガラス６４との対応部分を放射線防護効果が高い材料で形成した遮蔽部２４となし、放射線シールド層２２に形成した切欠部２３に該遮蔽部２４を嵌め込むこともできる。
【００３８】
ケース本体２の放射線シールド層２２の内底には、吸取り紙等の吸水性及び緩衝作用のある材料で形成した吸水部材２５が配設されており、該吸水部材の中央には、前記放射性溶液シリンジ集成体４のゴムキャップ５６が嵌合する凹み部２５ａが形成されている。
【００３９】
（組込み時）
放射性溶液シリンジ集成体４を包装保護ケース１に収納する際には、ゴムキャップ５６を下にして放射性溶液シリンジ集成体４をケース本体２に収容し、ゴムキャップ５６を吸水部材２５の凹み部２５ａに嵌合した状態で、ケース本体２に蓋体３を被せる。
放射性溶液シリンジ集成体４は、包装保護ケース１の放射線シールド層２２、３２及び吸水部材２５によって、移動しないように拘束される。
【００４０】
ケース本体２と蓋体３に跨って熱収縮性フィルムチューブ８２を嵌め、熱収縮させて密封する。
熱収縮性フィルムチューブ８２には、前記放射性溶液シリンジ集成体４の熱収縮性フィルムチューブ８と同様に、チューブの軸方向に互いに接近して平行に延びる開封用の２本の断続的な切込みが設けられている。
【００４１】
熱収縮性フィルムチューブ８２には、放射性溶液シリンジ集成体４の放射性溶液に関する製品名、内容量等の情報の全部または一部を印刷しておくことができる。更に、フィルムのチューブ８２の色によって放射性溶液の情報の一部を表すことができる。
【００４２】
包装保護ケース１のケース本体２及び蓋体３の夫々外殻２１、３１が金属製であるため、従来の樹脂製外層の包装保護ケースとは異なり、衝撃に強く、輸送中や保管中の破損事故、火災による焼損事故による放射線の漏出を防止できる。外殻２１、３１で包囲された放射線シールド層２２、３２は、金属粉末または金属小粒を混ぜた樹脂にて形成されているため、放射線防護の役割と同時に緩衝作用をも有している。そのため、従来のように発泡樹脂製の緩衝材を内層に用いる必要はなく、収容した放射性溶液シリンジ集成体４を運搬中の衝撃から効果的に保護する。
【００４３】
蓋体３を密閉している熱収縮性フィルムチューブ８２に、放射性溶液シリンジ集成体４の放射性溶液に関する製品名、内容量等の情報の全部または一部を印刷し、或いはフィルムチューブ８２の色はこうした情報の一部を表すように使用されている。ケース本体２に貼付した情報ラベルが視認できる方向に正しく配置されていない場合でも、ユーザーはフィルムチューブ８２から放射性溶液に関する情報を確認できる。
【００４４】
（使用方法）
放射性溶液シリンジ集成体４の使用に際して、熱収縮性フィルムチューブ８２を破って蓋体３が外され、放射性溶液シリンジ集成体４が取り出される。熱収縮性フィルムチューブ８２が破られることによって、開封済か否か、即ち、放射性溶液シリンジ集成体４が使用済か否かが表示される。
【００４５】
指掛り筒７とシールド筒６に跨って熱収縮したフィルムチューブ８が被さり、指掛り筒７とシールド筒６を固定状態に保持しているため、不用意に２つの要素が分離することはない。
フィルムチューブ８は、シールド筒６の表面に美観を与え且つ保護膜として作用するので、シールド筒６の表面に銀メッキや防錆処理等を施す必要がない。従って、包装保護ケース１は比較的安価に製造できる。
【００４６】
更に、熱収縮性フィルムチューブ８は、放射線シールド層２２の切欠部２３に嵌め込んだ鉛ガラス６４にも被さっているので、シールド筒６において最も破損し易く、外れる虞れのある鉛ガラス６４を、該フィルムチューブにより破損と脱離から保護可能である。これは、鉛ガラスを含むシールド筒６の再使用率の向上に寄与する。
【００４７】
シリンジ５は、その基端のフランジ５２が指掛り筒７の内向きフランジ７３とシールド筒６の基端に挟まれているので、シールド筒６からの脱離が確実に防止される。これにより、シールド筒６からシリンジ５が不用意に抜け出すことによる放射線被爆が防止される。
【００４８】
万一、包装保護ケース１内でシリンジ５が破損し、放射性溶液シリンジ集成体４から放射性溶液が漏れ出すことがあっても、吸水部材２５が溶液を吸収し、従って、後処理が簡単である。
【００４９】
取り出した放射性溶液シリンジ集成体４のピストン５３にプランジャ５８が連結され、ゴムキャップ５６が取り外され、両刀針両頭針（図示せず）がパッキン５４を貫通させて差し込まれ、被験者に放射性溶液が注射される。
【００５０】
放射性溶液シリンジ集成体４のシールド筒６により、投与者（医者）への放射線被爆が防止される。シールド筒６上の鉛ガラス６４を透して、投与中のシリンジ５内の注射液の残量を目視できる。
【００５１】
使用後の包装保護ケース１は、洗浄して再使用に備える。
包装保護ケース１のケース本体２は、全体に有底筒状の単純な形状であり、蓋体３の形状も複雑ではない。従って、ケースは簡単に洗浄できる。
【００５２】
使用後の放射性溶液シリンジ集成体４のシールド筒６を再使用するために、シリンジ５はシールド筒６から取り外される。これには、先ず熱収縮フィルムチューブ８を破って外し、シールド筒６と指掛り筒７の保持を解除する。
【００５３】
熱収縮性フィルムチューブ８はチューブの全長に亘って平行に延びる断続的な切込み８１、８１が設けられているので簡単に破ることができる。
シールド筒６から指掛り筒７を外してシリンジ５の拘束を解き、シールド筒６からシリンジ５を外す。
シールド筒６は洗浄され再使用に備える。
【００５４】
本発明の実施に際し、ケース本体２に蓋体３を密封するために、熱収縮性フィルムチューブ８２に代えて、蓋体３とケース本体２に跨って粘着テープを巻き付けてもよい。この場合でもテープの色によって内容物の情報の一部を表すようにできる。
【００５５】
本発明の包装保護ケース１及び放射性溶液シリンジ集成体４のために、包装保護ケース１の放射線シールド層２２、３２の充填物として鉛の小球を用いた場合でも、該小球は樹脂との混練により必ず小球表面に樹脂が付着するため、放射線シールド層２２、３２の表面に直接に鉛が露出することはなく、鉛中毒の汚染の問題は生じない。
【００５６】
図４は他の実施形態を示しており、該実施形態では、指掛り筒７の内向きフランジ７３ａは、指掛り筒７とは独立の部材として形成されている。内向きフランジ７３ａは、指掛り筒７に対してネジ螺合により着脱自在に結合される。この場合、シールド筒６に指掛り筒７を嵌合したまま、内向きフランジ７３ａを外すだけで、シールド筒６からシリンジ５を抜き外すことができる。
【００５７】
本発明の包装保護ケース１は、放射性溶液シリンジ集成体４を収容することに限定されることはない。本発明は、例えばバイアル瓶などの放射性溶液シリンジ集成体４以外の容器により収容された放射性物質を保管、運搬するための包装保護ケースに実施できることは言うまでもない。
【００５８】
尚、本発明の放射性溶液シリンジ集成体及びその包装保護ケースの長さ、肉厚等の寸法は、放射線の漏れを防止可能な限り最小の寸法としてもよい。例えば、外径１８ｍｍの場合、シリンジ集成体４のシールド筒６は、タングステンから形成される場合２〜５ｍｍの厚さ、シールド筒６の鉛ガラスの厚さは５〜６ｍｍとすることができる。
【００５９】
更に、包装保護ケースの外殻２１、３１が鉄から形成される場合、これら外殻の厚さは０．５〜５ｍｍ、放射線シールド層２２、３２厚さは２〜１０ｍｍとなる。
【産業上の利用可能性】
【００６０】
本発明の包装保護ケース１及び放射性溶液シリンジ集成体４は、鉛製の遮蔽壁を用いずとも放射線を遮蔽できる。包装保護ケース１の放射線シールド層２２、３２の充填物として鉛の小粒を用いた場合でも、溶融樹脂と鉛の小粒を混練して成形するから、鉛の小粒は樹脂内に埋没されている。これにより、放射線シールド層２２、３２の表面に直接に鉛の小粒が露出することが防止され、鉛中毒の汚染の問題は軽減される。
【００６１】
包装保護ケース１は、外殻２１、３１が金属製であるため、従来の外層が樹脂製である包装保護ケースに較べて、衝撃力や火災に強く、輸送中や保管中のこれらの事故によって放射線が漏出するほどにケース１や放射性溶液シリンジ集成体４が破損することは防止できる。
これにより、包装保護ケース１の再使用率を高めることができる。
【００６２】
包装保護ケース１の放射線シールド層２２、３２は、金属粉末または金属小粒を混練した樹脂にて形成されているので、これら層は、放射線遮蔽として作用すると同時に緩衝作用もなす。そのために、包装保護ケース１は、従来のように発泡樹脂製の緩衝材を内層に用いる必要はなく、収容した放射性溶液シリンジ集成体４を運搬中の衝撃から効果的に保護する。
【００６３】
放射性溶液シリンジ集成体４にあっては、指掛り筒７とシールド筒６に跨って熱収縮フィルムチューブ８を被せ、該熱収縮性フィルムチューブ８を熱収縮させて両者を固定状態に保持している。従って、これらの要素が不用意に分離することはない。
【００６４】
更に、熱収縮性フィルムチューブ８は、シールド筒６の表面に美観を与え且つ保護する膜として作用するので、シールド筒６の表面に銀メッキや防錆処理等を施す必要がなく、それに対応したコスト削減が達成される。
【００６５】
シリンジ５は、その基端のフランジ５２が指掛り筒７の内向きフランジ７３とシールド筒６の基端に挟まれて、シールド筒６からの脱離が確実に防止される。この特徴により、従来のように、シールド筒６からシリンジ５が不用意に抜け出して、周囲を放射線被爆させる虞れはない。
【００６６】
シリンジ５内の放射性溶液を被験者に注射するためにシリンジ集成体４を使用した後、シリンジ５は、シールド筒６を再使用するためにシールド筒６から取り外される。熱収縮フィルムチューブ８を先ず破って、シールド筒６と指掛り筒７の保持を解除する。
【００６７】
シールド筒６から指掛り筒７を外し、次いでシールド筒６からシリンジ５を抜き外す。シールド筒６とシリンジ５との間には、抵抗なく抜き外しができるクリアランスを設けておくことができ、放射性溶液シリンジ集成体４を難なく分解できる。
【図面の簡単な説明】
【００６８】
【図１】包装保護ケースに放射性溶液シリンジ集成体を収容した状態の断面図である。
【図２】図１のＡ−Ａ線に沿う断面図である。
【図３】一部を破断した指掛り筒の斜面図である。
【図４】指掛り筒の他の実施例の斜面図である。
【図５】従来のケース本体と放射性溶液シリンジ集成体の断面図である。
【符号の説明】
【００６９】
２    ケース本体
３    蓋体
４    放射性溶液シリンジ集成体
５    シリンジ
６    シールド筒
７    指掛り筒
８    熱収縮性フィルムチューブ
２１    外殻
２２    放射線シールド層
３１    外殻
６４    鉛ガラス
【図１】
2008134268.tif 000003
【図２】
2008134268.tif 000004
【図３】
2008134268.tif 000005
【図４】
2008134268.tif 000006
【図５】
2008134268.tif 000007